(57)【要約】【課題】  包装材に汚れ防止シートを貼着する必要がなく、外側フィルムと内側フィルムの間で上下方向や左右方向に大きく偏り使用者に看過されることがないおにぎり用包装材を提供することを目的とする。【解決手段】  外側フィルム１と、前記外側フィルム１と外縁が接合されている内側フィルム２と、前記外側フィルム１と前記内側フィルム２の間に設けられた食品収納部３に封入されている汚れ防止シート４と、を備えるおにぎり用包装材であって、前記汚れ防止シート４は、前記外側フィルム１と前記内側フィルム２が外縁で接合される接合部Ｊ近傍まで配されていることを特徴とするおにぎり用包装材により解決することができた。【選択図】図３
2020023345.tif 000002
【特許請求の範囲】
【請求項１】
外側フィルムと、
前記外側フィルムと外縁が接合されている内側フィルムと、
前記外側フィルムと前記内側フィルムの間に設けられた食品収納部に封入されている汚れ防止シートと、
を備えるおにぎり用包装材であって、
前記汚れ防止シートは、前記外側フィルムと前記内側フィルムが外縁で接合される接合部近傍まで配されていることを特徴とするおにぎり用包装材。
【請求項２】
前記汚れ防止シートは、前記食品収納部においてシート状食品と重ねて収納されていることを特徴とする請求項１に記載のおにぎり用包装材。
【請求項３】
前記汚れ防止シートは、前記シート状食品と前記外側フィルムの間に位置していることを特徴とする請求項２に記載のおにぎり用包装材。
【請求項４】
前記汚れ防止シートは、前記シート状食品と略同一形状であることを特徴とする請求項２または請求項３のいずれかに記載のおにぎり用包装材。
【発明の詳細な説明】
【技術分野】
【０００１】
本発明は、フィルム包装された海苔等のシート状食品が巻かれたおにぎりを食する場合、フィルムを開封してから食べ終わるまでの間、汚れた手で直接おにぎりに触れることを防ぐ汚れ防止シートを備えるおにぎり用包装材に関する。
【背景技術】
【０００２】
スーパーマーケットやコンビニエンスストアなどで販売されているおにぎりの包装材は、海苔などとおにぎりが直接的に接触しないように間にフィルムを介した状態で包装されている。したがって、おにぎりを食する際には包装フィルムを取り去り、おにぎりを海苔などで包んで食することができるため、海苔であればパリパリの海苔が巻かれたおにぎりを食することができる。
【０００３】
そして、海苔が巻かれたおにぎりを、手が汚れていてもおにぎりを汚さずに食することができるように海苔とは異なるフィルム材が包装材に同封されていることもある。
【０００４】
例えば、特許文献１には、そのようなフィルム材として、汚れ防止フィルム片６が、表面フィルム２に積層された開封用片３に点状の熱融着部１０によって剥離可能に貼着されているお握り用包装袋が開示されている。当該段落における符号は特許文献１における符号である。
【先行技術文献】
【特許文献】
【０００５】
【特許文献１】実用新案登録第３０６７９１９号公報
【発明の概要】
【発明が解決しようとする課題】
【０００６】
しかしながら、特許文献１に記載のお握り用包装袋では、表面フィルム２と裏面フィルム４，５の間の収容空間に対して、汚れ防止フィルム片６はかなり大きいため、お握り用包装袋を搬送したり梱包したりしているときに、上下方向や左右方向に偏ってしまい使用者に気づかれずに使用されないことを防止するために、表面フィルム２に積層された開封用片３に点状の熱融着部１０によって貼着し固定しているが、貼着するための設備を導入したり貼着する工程が必要であったりするので、手間もコストもかかるという問題があった。当該段落における符号は特許文献１における符号である。
【０００７】
そのため、本発明において、包装材に汚れ防止シートを貼着する必要がなく、外側フィルムと内側フィルムの間で上下方向や左右方向に大きく偏り使用者に看過されることがないおにぎり用包装材を提供することを目的とする。
【課題を解決するための手段】
【０００８】
すなわち、本発明は、外側フィルム（１）と、
前記外側フィルム（１）と外縁が接合されている内側フィルム（２）と、
前記外側フィルム（１）と前記内側フィルム（２）の間に設けられた食品収納部（３）に封入されている汚れ防止シート（４）と、
を備えるおにぎり用包装材であって、
前記汚れ防止シート（４）は、前記外側フィルム（１）と前記内側フィルム（２）が外縁で接合される接合部（Ｊ）近傍まで配されていることを特徴とするおにぎり用包装材である。
【０００９】
〔２〕そして、前記汚れ防止シート（４）は、前記食品収納部（３）においてシート状食品（６）と重ねて収納されていることを特徴とする上記〔１〕に記載のおにぎり用包装材である。
【００１０】
〔３〕そして、前記汚れ防止シート（４）は、前記シート状食品（６）と前記外側フィルム（１）の間に位置していることを特徴とする上記〔２〕に記載のおにぎり用包装材である。
【００１１】
〔４〕そして、前記汚れ防止シート（４）は、前記シート状食品（６）と略同一形状であることを特徴とする上記〔２〕又は〔３〕に記載のおにぎり用包装材である。
【発明の効果】
【００１２】
本発明のおにぎり用包装材によれば、汚れ防止シートが、外側フィルムと内側フィルムが外縁で接合されている接合部近傍まで配されているため、包装材に汚れ防止シートを貼着する必要がなく、外側フィルムと内側フィルムの間で上下方向や左右方向に大きく偏り使用者に看過されることがないようにすることができる。
【図面の簡単な説明】
【００１３】
【図１】おにぎり用包装材の外側フィルムの内側面（おにぎり設置側面）に汚れ防止シートを配置した状態の正面図である。
【図２】本発明のおにぎり用包装材の正面図である。
【図３】本発明のおにぎり用包装材の背面図である。
【図４】図３のＡ−Ａ線断面を模式的に示した分解断面図である。
【図５】本発明において、開封したおにぎり全体をシート状食品で被覆したのち、汚れ防止シートで覆っている状態を示す参考斜視図である。
【発明を実施するための形態】
【００１４】
以下、本発明に係るおにぎり用包装材について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００１５】
図１から図５に示すように、本実施形態のおにぎり用包装材は、主として、外側フィルム１と、外側フィルム１と外縁が接合されている内側フィルム２と、外側フィルム１と内側フィルム２の間に設けられた食品収納部３と、食品収納部３に封入された汚れ防止シート４と、外側フィルム１の一方上端部側の中央付近に設けられた開封用片５などを備えている。
【００１６】
外側フィルム１は、１枚のフィルムからなる部材である。外側フィルム１の外縁は内側フィルム２の外縁と接合され接合部Ｊを形成している。図２、図３に示すように、接合部Ｊは、外側フィルム１及び内側フィルム２の長手方向に沿って断続的に形成される複数の長手接合部Ｊ１と、同じく短手方向に沿って形成される短手接合部Ｊ２から成る。接合部Ｊにより、汚れ防止シート４及びシート状食品６を外部に飛び出さないように外側フィルム１と内側フィルム２との間で封入することができる。接合手段としては、熱による融着、接着剤による接着など種々の手段を用いることができる。
【００１７】
図１から図３に示すように、外側フィルム１は、上端部及び下端部の中央付近に２本の切込線１１を備え、２本の切込線１１によって挟まれた外側フィルム１の一部が、開封用片５として形成されている。図１から図３などに示すように、使用者は上端側の開封用片５を掴み下方へ引っ張ることによって、または下端側の開封用片５を掴み上方へ引っ張ることによって、外側フィルム１を引き裂くことができ、シート状食品６を容易に取り出すことができる。なお、本実施形態において、２本の切込線１１によって挟まれた外側フィルム１の一部である開封用片５を用いて、外側フィルム１を開封しているが、他の実施形態において、２本の切込線１１を入れずに、外側フィルム１の中央付近にミシン目を入れて左右方向に力を加えてミシン目を裂きシート状食品６を取り出すようにすることもできる。
【００１８】
図１から図３に示すように、外側フィルム１は、中央付近に上端部及び下端部の開封用片５を繋ぎ、所定間隔をあけた平行な２本のガイド線１２を備える。図１から図３などに示すように、ガイド線１２により、使用者は上端側又は下端側の開封用片５を掴み引っ張ることによって、２本のガイド線１２に沿って直線状に外側フィルム１を引き裂くことができる。
【００１９】
内側フィルム２は、２枚の内側フィルム２ａ、２ｂからなる部材であり、外側フィルム１に重合するため外側フィルム１と等しい形状からなる。また、内側フィルム２ａ、２ｂは、外側フィルム１の長手方向における中央付近において端縁部同士が重なるように設けられた一対のフィルムからなる。内側フィルム２ａ、２ｂが互いに重なり合う端縁部は、開封用片５に対向する位置にある。したがって、外側フィルム１が開封用片５によって分離され、分離した一方を掴み、他方を引っ張ると、外側フィルム１と接合している内側フィルム２も分離されるが、内側フィルム２ａ、２ｂが互いに重なり合う端縁部は接合されていないため、外側フィルム１と内側フィルム２を容易に分離することができ、シート状食品６を容易に取り出し、おにぎり７を巻くことができる。
【００２０】
さらに、内側フィルム２ａ、２ｂの端縁部が開封用片５に対向する位置にあるため、上述のように、外側フィルム１と内側フィルム２を左右均一に分離することができ、使用者はシート状食品６を容易に取り出し、おにぎり７を巻くことができる。
【００２１】
食品収納部３は、外側フィルム１と内側フィルム２の間に設けられ、長手接合部Ｊ１及び短手接合部Ｊ２によって囲まれた空間である。また、食品収納部３には汚れ防止シート４とシート状食品６が重ねて収納されている。具体的には、汚れ防止シート４は外側フィルム１側に、シート状食品６は内側フィルム２側に収納されている。このため、開封用片５を掴み引っ張って外側フィルム１を引き裂くと汚れ防止シート４が露出するために、使用者は直接シート状食品６に触れずに済むので衛生的である。
【００２２】
汚れ防止シート４は、外側フィルム１と内側フィルム２が外縁で接合されている接合部Ｊ近傍まで配されている部材である。汚れ防止シート４の大きさとしては、図２，図３における食品収納部３の長手方向の５０％以上であり、同じく短手方向の５０％以上である矩形状であることがさらに好ましく、食品収納部３の長手方向の７０％以上であり、同じく短手方向の７０％以上である矩形状であることがさらに好ましく、食品収納部３の長手方向の８０％以上であり、同じく短手方向の８０％以上である矩形状であることが最も好ましい。このような汚れ防止シート４によって、食品収納部３において、汚れ防止シート４が上下方向や左右方向に大きく偏り使用者に看過されることがなく、また、開封用片５を掴み引っ張って外側フィルム１を引き裂くと汚れ防止シート４が必ず中央部には露出している状態となる。このため、図５に示すように、汚れ防止シート４がシート状食品６の付着したおにぎり７を包み、使用者は汚れ防止シート４を介しておにぎりを掴むことができるため、衛生的におにぎりを食することができる。
【００２３】
また、汚れ防止シート４は、食品収納部３においてシート状食品６と重ねて収納されているため、外側フィルム１と内側フィルム２が左右に分離されると、シート状食品６とおにぎりの間にある内側フィルム２が取り除かれ、シート状食品６がおにぎり７に付着し、使用者は汚れ防止シート４を介しておにぎりを掴むことができるため、衛生的におにぎりを食することができる。
【００２４】
そして、汚れ防止シート４はシート状食品６と略同一形状である。このような汚れ防止シート４によって、使用者はシート状食品６が巻かれたおにぎり７を全体的につかむことができる。外側フィルム１と内側フィルム２を均一に剥がすことができない場合であっても、おにぎり７全体を覆う汚れ防止シート４を介しておにぎり７を掴むことができるため、使用者は衛生的におにぎりを食することができる。また、おにぎり７を食べている途中で食べきれないときには、汚れ防止シート４によって包んで持ち運ぶこともできる。本実施形態において、汚れ防止シート４はシート状食品６と同一形状であるが、他の実施形態において、汚れ防止シート４の長手方向はシート状食品６の長手方向の５０〜１１０％、６０〜１１０％又は９０〜１１０％の大きさとし、汚れ防止シート４の短手方向はシート状食品６の短手方向の５０〜１１０％、６０〜１１０％又は９０〜１１０％の大きさとすることもできる。
【００２５】
汚れ防止シート４の材質としては、ポリエチレン、ポリプロピレンなどのポリオレフィン系樹脂であることが好ましい。また、シート状食品６などが視認できるように透明又は透光性であることが好ましい。さらに、必要に応じて着色したり、模様を付したりすることもできる。
【００２６】
シート状食品６は、食品収納部３に収められている海苔や昆布などのシート状の食品である。シート状食品６は、食品収納部３に収められているためおにぎり７に直接的に接触していない。したがって、外側フィルム１と内側フィルム２が左右に分離されると同時に、シート状食品６とおにぎりの間にある内側フィルム２が引き出され、シート状食品６はおにぎり７に付着する。したがって、例えば、シート状食品６が海苔の場合、使用者はおにぎりを食する際に海苔のパリパリとした触感を楽しむことができる。
【００２７】
本実施形態において、シート状食品６は使用されているが、他の実施形態において、シート状食品６は必ずしも使用される必要はない。例えば、かやくごはんのおにぎりや焼きおにぎりなど、海苔や昆布などのシート状食品６を巻かずに食するおにぎりも存在することから、シート状食品６は必要に応じて使用される部材である。
【００２８】
おにぎり７は、おにぎり用包装材によって包まれる部材である。使用者はおにぎりを食する際に、外側フィルム１と内側フィルム２から汚れ防止シート４を取り外すことによって、おにぎり全体を、シート状食品６により覆い間接的に、またはシート状食品６を使用せずに直接的に汚れ防止シート４を介しておにぎりを掴むことができるため、衛生的におにぎりを食することができる。
【符号の説明】
【００２９】
１・・・外側フィルム
１１・・・切込線
１２・・・ガイド線
２、２ａ、２ｂ・・・内側フィルム
３・・・食品収納部
４・・・汚れ防止シート
５・・・開封用片
６・・・シート状食品
７・・・おにぎり
Ｊ・・・接合部
【図１】
2020023345.tif 000003
【図２】
2020023345.tif 000004
【図３】
2020023345.tif 000005
【図４】
2020023345.tif 000006
【図５】
2020023345.tif 000007
【手続補正書】
【提出日】平成30年8月9日(2018.8.9)
【手続補正１】
【補正対象書類名】図面
【補正対象項目名】図４
【補正方法】変更
【補正の内容】
【図４】
2020023345.tif 000008